(57)【特許請求の範囲】
【請求項１】
互いに嵌合する１対のコネクタからなり、
該１対のコネクタのうちの一方のコネクタが、長手方向に延びる第１ハウジングと、該第１ハウジングに取り付けられた第１コンタクトと、前記第１ハウジングに取り付けられた第１半田ペグとを備えて回路基板上に実装され、
前記１対のコネクタのうちの他方のコネクタが、長手方向に延びる第２ハウジングと、該第２ハウジングに取り付けられ、前記第１コンタクトに接触する第２コンタクトと、前記第２ハウジングに取り付けられ、前記第１半田ペグに接触する第２半田ペグとを備え、
前記第１半田ペグと前記第２半田ペグとで、互いに嵌合する１対のコネクタの嵌合完了状態を検知する嵌合完了検知スイッチを構成し、
該嵌合完了検知スイッチは、前記第２コンタクトが接触する前記第１コンタクトにおける接触ポイントの前記回路基板からの高さが、前記第２半田ペグが接触する前記第１半田ペグにおける接触ポイントの前記回路基板からの高さよりも大きく設定されていることにより、前記１対のコネクタが嵌合する際に、前記第１コンタクトと前記第２コンタクトとが接触した後に、前記第１半田ペグと前記第２半田ペグとが接触するように構成され、
前記第１半田ペグは、前記回路基板に接続される基板接続部と、該基板接続部から前記回路基板に対して離れる方向に延びると共に先端で折り返されて前記回路基板に対して接近する方向に延び、前記第２半田ペグが接触する弾性アームとを有することを特徴とする嵌合完了検知スイッチ付きコネクタ。
【請求項２】
前記第１半田ペグが、前記第１ハウジングの長手方向の少なくとも一端に、互いに離間した状態で設けられた少なくとも１対の第１半田ペグ部材で構成され、前記第２半田ペグが、前記第２ハウジングの長手方向の少なくとも一端に設けられるとともに、前記１対のコネクタが嵌合する際に、前記１対の第１半田ペグ部材間に嵌合して接触することを特徴とする請求項１記載の嵌合完了検知スイッチ付きコネクタ。
【請求項３】
前記少なくとも１対の第１半田ペグ部材が、前記第１ハウジングの長手方向両端に設けられ、前記第２半田ペグが、前記第２ハウジングの長手方向両端に設けられたことを特徴とする請求項２記載の嵌合完了検知スイッチ付きコネクタ。
【請求項４】
前記第１ハウジングが、前記１対のコネクタが嵌合する際に、前記第２半田ペグを受容する半田ペグ受容凹部を有し、前記第１半田ペグの前記弾性アームは前記半田ペグ受容凹部内に延び、前記第２半田ペグが前記第１半田ペグの前記弾性アームに接触する剛体接触部を有することを特徴とする請求項１記載の嵌合完了検知スイッチ付きコネクタ。
【請求項５】
前記第１半田ペグの外面に、前記第１コンタクトと前記第２コンタクトとが接触する前に、前記第１半田ペグと前記第２半田ペグとが接触するのを防止する絶縁皮膜を設けたことを特徴とする請求項１記載の嵌合完了検知スイッチ付きコネクタ。
【請求項６】
前記第１ハウジングに、前記第１コンタクトと前記第２コンタクトとが接触する前に、前記第１半田ペグと前記第２半田ペグとが接触するのを防止する絶縁壁を設けたことを特徴とする請求項１記載の嵌合完了検知スイッチ付きコネクタ。
【発明の詳細な説明】
【技術分野】
【０００１】
本発明は、半田ペグを利用して、互いに嵌合する１対のコネクタの嵌合完了状態を検知する嵌合完了検知スイッチを備えた嵌合完了検知スイッチ付きコネクタに関する。
【背景技術】
【０００２】
例えば、回路基板上に実装されるコネクタは、信号（又は電力）の伝送用に用いられる金属製のコンタクトのほかに、当該コネクタを回路基板に半田接続により固定するための金属製の半田ペグを備えているのが一般的である。
この種の半田ペグを備えた従来の電気コネクタとして、例えば、図１６に示すものが知られている（特許文献１参照）。
図１６に示す電気コネクタ１００は、互いに嵌合するリセプタクルコネクタ１１０とプラグ側コネクタ１２０とからなる。
【０００３】
リセプタクルコネクタ１１０は、長手方向（図１６における左右方向）に延びる絶縁性のリセプタクルハウジング１１１と、リセプタクルハウジング１１１に取り付けられた信号伝送用の複数のリセプタクルコンタクト（図示せず）とを備えている。
リセプタクルハウジング１１１の長手方向両端には、リセプタクルコネクタ１１０を回路基板（図示せず）上に半田接続により固定するための第１半田ペグ１１２がそれぞれ設けられている。
【０００４】
一方、プラグコネクタ１２０は、長手方向に延びるプラグハウジング１２１と、プラグハウジング１２１に取り付けられ、リセプタクルコンタクトに接触する信号伝送用の複数のプラグコンタクト（図示せず）とを備えている。
プラグハウジング１２１の長手方向両端には、プラグコネクタ１２０を回路基板（図示せず）上に半田接続により固定するための第２半田ペグ１２２がそれぞれ設けられている。
【０００５】
そして、プラグコネクタ１２０の各第２半田ペグ１２２は接触タブ１２２ａを有する。リセプタクル側コネクタ１１０の各第１半田ペグ１１２は、両コネクタ１１０，１２０が嵌合するときに、第２半田ペグ１２２の接触タブ１２２ａに接触する接触ばね部１１２ａを有する。
この電気コネクタ１００によれば、第１半田ペグ１１２と第２半田ペグ１２２とが電気的に接触することにより、プラグコネクタ側あるいはリセプタクルコネクタ側のいずれの側からも接地が可能になり、設計の自由度を増すことができる。
【０００６】
一方、図１６に示すような、半田ペグを備えた互いに嵌合する１対のコネクタからなる電気コネクタにおいて、１対のコネクタを嵌合する際、その嵌合完了状態を検知し、作業者に両コネクタの嵌合が確実に行われたことを知らしめることが望ましい。
従来、このような嵌合完了状態を作業者に知らしめるコネクタ組立体として、例えば、図１７に示すものが知られている（特許文献１参照）。
図１７に示すコネクタ組立体２００は、互いに嵌合する１対のリセプタクルコネクタ２１０及びプラグコネクタ２２０からなる。
【０００７】
リセプタクルコネクタ２１０は、長手方向（紙面に対して直交する方向）に延びる絶縁性のリセプタクルハウジング２１１と、リセプタクルハウジング２１１に取り付けられた信号伝送用の複数のリセプタクルコンタクト２１５とを備えている。
リセプタクルハウジング２１１の長手方向両端には、リセプタクルコネクタ２１０を回路基板上に半田接続により固定するための１対の第１半田ペグ２１２が浮動自在に取り付けられている。各第１半田ペグ２１２には、リセプタクルハウジング２１１の壁２１１ａとの間に間隙を有して外側へ弾性変形可能な１対の第１係止アーム２１３が設けられている。
【０００８】
一方、プラグコネクタ２２０は、長手方向に延びる絶縁性のプラグハウジング２２１と、プラグハウジング２２１に取り付けられ、リセプタクルコンタクト２１５に接触する信号伝送用の複数のプラグコンタクト２２５とを備えている。
プラグハウジング２２１の長手方向両端には、プラグコネクタ２２０を回路基板上に半田接続により固定するための１対の第２半田ペグ２２２が浮動自在に取り付けられている。各第２半田ペグ２２２には、プラグハウジング２２１の壁２２１ａとの間に間隙を有して内側へ弾性変形が可能な１対の第２係止アーム２２３が設けられている。
【０００９】
第１及び第２半田ペグ２１２，２２２のそれぞれに設けられた第１及び第２係止アーム２１３，２２３は、リセプタクルコネクタ２１０及びプラグコネクタ２２０を嵌合する途中で相互に干渉するロック突起２１４，２２４をそれぞれ有する。
両コネクタ２１０，２２０の嵌合途中でロック突起２１４，２２４が相互に干渉すると、第１係止アーム２１３が外側へ撓み、第２係止アーム２２３が内側へ撓み、第１及び第２係止アーム２１３，２２３は負荷状態となる。そして、さらに挿入を続け両コネクタ２１０，２２０の嵌合が完了する際には、互いに撓んだ第１及び第２係止アーム２１３，２２３が元に戻ることで、クリック感が生じ、ロック突起２１４，２２４は互いに係合する。
【００１０】
作業者は、このクリック感によって両コネクタ２１０，２２０の嵌合が確実に行われたことを感じ取ることができる。ロック突起２１４，２２４同士が係合した状態の第１及び第２係止アーム２１３，２２３は、第１及び第２係止アーム２１３，２２３の弾性によって嵌合前の状態に完全に戻ったことにより、略無負荷状態となる。
【先行技術文献】
【特許文献】
【００１１】
【特許文献１】特開平１０−５０３７１号公報
【特許文献２】特開２００５−５０７０２号公報
【発明の概要】
【発明が解決しようとする課題】
【００１２】
しかしながら、この従来の図１６に示した電気コネクタ１００及び図１７に示したコネクタ組立体２００にあっては、以下の問題点があった。
即ち、図１６に示した電気コネクタ１００の場合、リセプタクルコネクタ１１０とプラグコネクタ１２０とを嵌合する際に、第１半田ペグ１１２と第２半田ペグ１２２とが嵌合開始時から接触する構造となっている。このため、第１半田ペグ１１２及び第２半田ペグ１２２の接触を利用してリセプタクルコネクタ１１０とプラグコネクタ１２０との嵌合完了を検知することができない。即ち、第１半田ペグ１１２及び第２半田ペグ１２２の接触を検知したときには、両コネクタ１１０，１２０に設けられた信号伝送用のコンタクト同士が接触しているか接触していないかの判断ができない。
【００１３】
また、図１７に示したコネクタ組立体２００の場合、嵌合完了時におけるロック突起２１４，２２４によるクリック感によって作業者は両コネクタ２１０，２２０の嵌合完了を検知できる。しかし、両コネクタ２１０，２２０の嵌合完了後においては、クリック感が残らないため、両コネクタ２１０，２２０の嵌合完了の状態を客観的に検知することができない。
従って、本発明は、上述の問題点に鑑みてなされたものであり、その目的は、半田ペグを利用して、嵌合完了の状態を、嵌合完了時及び嵌合完了後のいずれにおいても確実に検知することができる嵌合完了検知スイッチ付きコネクタを提供することにある。
【課題を解決するための手段】
【００１４】
上記目的を達成するために、本発明のうち請求項１に係る嵌合完了検知スイッチ付きコネクタは、互いに嵌合する１対のコネクタからなり、該１対のコネクタのうちの一方のコネクタが、長手方向に延びる第１ハウジングと、該第１ハウジングに取り付けられた第１コンタクトと、前記第１ハウジングに取り付けられた第１半田ペグとを備えて回路基板上に実装され、前記１対のコネクタのうちの他方のコネクタが、長手方向に延びる第２ハウジングと、該第２ハウジングに取り付けられ、前記第１コンタクトに接触する第２コンタクトと、前記第２ハウジングに取り付けられ、前記第１半田ペグに接触する第２半田ペグとを備え、前記第１半田ペグと前記第２半田ペグとで、互いに嵌合する１対のコネクタの嵌合完了状態を検知する嵌合完了検知スイッチを構成し、該嵌合完了検知スイッチは、前記第２コンタクトが接触する前記第１コンタクトにおける接触ポイントの前記回路基板からの高さが、前記第２半田ペグが接触する前記第１半田ペグにおける接触ポイントの前記回路基板からの高さよりも大きく設定されていることにより、前記１対のコネクタが嵌合する際に、前記第１コンタクトと前記第２コンタクトとが接触した後に、前記第１半田ペグと前記第２半田ペグとが接触するように構成され、前記第１半田ペグは、前記回路基板に接続される基板接続部と、該基板接続部から前記回路基板に対して離れる方向に延びると共に先端で折り返されて前記回路基板に対して接近する方向に延び、前記第２半田ペグが接触する弾性アームとを有することを特徴としている。
【００１５】
また、本発明のうち請求項２に係る嵌合完了検知スイッチ付きコネクタは、請求項１記載の嵌合完了検知スイッチ付きコネクタにおいて、前記第１半田ペグが、前記第１ハウジングの長手方向の少なくとも一端に、互いに離間した状態で設けられた少なくとも１対の第１半田ペグ部材で構成され、前記第２半田ペグが、前記第２ハウジングの長手方向の少なくとも一端に設けられるとともに、前記１対のコネクタが嵌合する際に、前記１対の第１半田ペグ部材間に嵌合して接触することを特徴としている。
【００１６】
また、本発明のうち請求項３に係る嵌合完了検知スイッチ付きコネクタは、請求項２記載の嵌合完了検知スイッチ付きコネクタにおいて、前記少なくとも１対の第１半田ペグ部材が、前記第１ハウジングの長手方向両端に設けられ、前記第２半田ペグが、前記第２ハウジングの長手方向両端に設けられたことを特徴としている。
また、本発明のうち請求項４に係る嵌合完了検知スイッチ付きコネクタは、請求項１記載の嵌合完了検知スイッチ付きコネクタにおいて、前記第１ハウジングが、前記１対のコネクタが嵌合する際に、前記第２半田ペグを受容する半田ペグ受容凹部を有し、前記第１半田ペグの前記弾性アームは前記半田ペグ受容凹部内に延び、前記第２半田ペグが前記第１半田ペグの前記弾性アームに接触する剛体接触部を有することを特徴としている。
【００１７】
更に、本発明のうち請求項５に係る嵌合完了検知スイッチ付きコネクタは、請求項１記載の嵌合完了検知スイッチ付きコネクタにおいて、前記第１半田ペグの外面に、前記第１コンタクトと前記第２コンタクトとが接触する前に、前記第１半田ペグと前記第２半田ペグとが接触するのを防止する絶縁皮膜を設けたことを特徴としている。
加えて、本発明のうち請求項６に係る嵌合完了検知スイッチ付きコネクタは、請求項１記載の嵌合完了検知スイッチ付きコネクタにおいて、前記第１ハウジングに、前記第１コンタクトと前記第２コンタクトとが接触する前に、前記第１半田ペグと前記第２半田ペグとが接触するのを防止する絶縁壁を設けたことを特徴としている。
【発明の効果】
【００１８】
本発明に係る嵌合完了検知スイッチ付きコネクタによれば、第１半田ペグと第２半田ペグとで、互いに嵌合する１対のコネクタの嵌合完了状態を検知する嵌合完了検知スイッチを構成し、嵌合完了検知スイッチは、１対のコネクタが嵌合する際に、第１コンタクトと第２コンタクトとが接触した後に、第１半田ペグと第２半田ペグとが接触するように構成されている。このため、嵌合完了検知スイッチを構成する第１半田ペグと第２半田ペグとが接触して嵌合検知回路が閉回路をなす前に、必ず信号を伝送するための第１コンタクトと第２コンタクト同士が接触し、その後、嵌合完了時に第１半田ペグと第２半田ペグとが接触して閉回路をなす。これにより、第１半田ペグと第２半田ペグとの接触を利用して互いに嵌合する１対のコネクタの嵌合完了状態を検知することができる。また、１対のコネクタの嵌合完了後においても、第１半田ペグと第２半田ペグとの接触状態は維持されるので、嵌合完了の状態を、嵌合完了時及び嵌合完了後のいずれにおいても確実に検知することができる。
【図面の簡単な説明】
【００１９】
【図１】本発明に係る嵌合完了検知スイッチ付きコネクタの第１実施形態を示し、（Ａ）は嵌合完了後における第１コンタクトと第２コンタクトとが接触した状態を示す横断面図、（Ｂ）は嵌合完了後における第１半田ペグと第２半田ペグとが接触した状態を示す横断面図である。
【図２】図１に示す嵌合完了検知スイッチ付きコネクタのうちのリセプタクルコネクタを示す斜視図である。
【図３】図２に示すリセプタクルコネクタの部分平面図である。
【図４】図２に示すリセプタクルコネクタの部分正面図である。
【図５】図２に示すリセプタクルコネクタの右側面図である。
【図６】図３における６−６線に沿う断面図である。
【図７】図２に示すリセプタクルコネクタに用いられる第１半田ペグの斜視図である。
【図８】図１に示す嵌合完了検知スイッチ付きコネクタのうちプラグコネクタを示す斜視図である。
【図９】図８に示すプラグコネクタの部分平面図である。
【図１０】図８に示すプラグコネクタの部分正面図である。
【図１１】図８に示すプラグコネクタの右側面図である。
【図１２】図９における１２−１２線に沿う断面図である。
【図１３】図８に示すプラグコネクタに用いられる第２半田ペグの斜視図である。
【図１４】本発明に係る嵌合完了検知スイッチ付きコネクタの第２実施形態を示し、嵌合完了後における第１半田ペグと第２半田ペグとが接触した状態を示す横断面図である。
【図１５】本発明に係る嵌合完了検知スイッチ付きコネクタの第３実施形態を示し、嵌合完了後における第１半田ペグと第２半田ペグとが接触した状態を示す横断面図である。
【図１６】従来例の電気コネクタの部分断面図である。
【図１７】従来の他の例のコネクタ組立体の断面図である。
【発明を実施するための形態】
【００２０】
以下、本発明の実施の形態を図面を参照して説明する。
先ず、本発明に係る嵌合完了検知スイッチ付きコネクタの第１実施形態を図１乃至図１３を参照して説明する。
図１に示す嵌合完了検知スイッチ付きコネクタ１は、互いに嵌合する１対のリセプタクルコネクタ１０及びプラグコネクタ４０からなる。
【００２１】
リセプタクルコネクタ１０は、図１（Ａ），（Ｂ）に示すように、一方の回路基板ＰＣＢ１上に実装される。リセプタクルコネクタ１０は、図２に示すように、長手方向（図２における左右方向）に延びる第１ハウジング１１と、第１ハウジング１１に取り付けられた信号（又は電力）の伝送用の複数対の第１コンタクト２０と、２組の第１半田ペグ３０とを備えている。
【００２２】
第１ハウジング１１は、絶縁性の樹脂を成形することによってほぼ矩形形状に形成される。第１ハウジング１１は、長手方向に延びるハウジング本体１２と、ハウジング本体１２の両端に設けられた１対の半田ペグ取付部１３とを備えている。ハウジング本体１２には、前後（図２における前後）に所定間隔を離して２つの相手コネクタ受容凹部１４が設けられている。各相手コネクタ受容凹部１４は、ハウジング本体１２の長手方向に沿って延びている。ハウジング本体１２の各相手コネクタ受容凹部１４には、長手方向に沿って所定ピッチで複数のコンタクト受容溝１５が形成されている。各コンタクト受容溝１５は、相手コネクタ受容凹部１４を横断するように形成される。
【００２３】
第１ハウジング１１の各半田ペグ取付部１３のほぼ中央部には、図１（Ｂ）、図２及び図３に示すように、前後方向に延びる、半田ペグ受容凹部１７が形成されている。各半田ペグ受容凹部１７は、各半田ペグ取付部１３の上面で開口している。この半田ペグ受容凹部１７は、プラグコネクタ４０及びリセプタクルコネクタ１０が嵌合する際に、プラグコネクタ４０の第２半田ペグ取付部４５及び第２半田ペグ６０を受容する。また、第１ハウジング１１の各半田ペグ取付部１３には、後述する１対の第１半田ペグ部材３０Ａ，３０Ｂを取り付けるための４つのペグ圧入孔１６が設けられている。ペグ圧入孔１６は、図２及び図３に示すように、半田ペグ受容凹部１７に対して長手方向外側に設けられている。
【００２４】
また、第１コンタクト２０は、図１（Ａ）及び図２に示すように、前側のコンタクト受容溝１５に受容されるものと、後側のコンタクト受容溝１５に受容されるものとが対をなし、第１ハウジング１１の長手方向に沿って複数対設けられている。各第１コンタクト２０は、図１（Ａ）及び図３に示すように、ハウジング本体１２に圧入固定される固定部２１を備えている。また、各第１コンタクト２０は、固定部２１から前後方向内側（前側の第１コンタクト２０の場合は後側、後側の第１コンタクト２０の場合は前側）へ断面略Ｕ字形に延びる接触部２２を備えている。更に、各第１コンタクト２０は、図１（Ａ）及び図４に示すように、固定部２１から下方に曲げられて前後方向外側（前側の第１コンタクト２０の場合は前側、後側の第１コンタクト２０の場合は後側）に延びる接続部２３を備えている。各接触部２２には、図１（Ａ）に示すように、プラグコネクタ４０に設けられた第２コンタクト５０の接触部５２が接触する。各接触部２２は、各コンタクト受容溝１５内に位置する。また、各接続部２３は、一方の回路基板ＰＣＢ１上に半田接続される。
また、２組の第１半田ペグ３０は、図２に示すように、第１ハウジング１１の長手方向両端にそれぞれ設置される。各組の第１半田ペグ３０は、図６に示すように、互いに前後方向に離間した状態で設けられた１対の第１半田ペグ部材３０Ａ,３０Ｂで構成される。
【００２５】
一方の第１半田ペグ部材３０Ａは、図２に示すように、各半田ペグ取付部１３に形成された半田ペグ受容凹部１７の後側に設置される。第１半田ペグ部材３０Ａは、図７に示すように、前後方向に延びる基部３１と、基部３１の上縁から上方に延びる１対の固定部３２とを備えている。また、第１半田ペグ部材３０Ａは、基部３１の後端から長手方向左側（図２における左側）に折り曲げられた連結部３３と、連結部３３の長手方向左端に設けられた弾性アーム３４及び基板接続部３５とを備えている。弾性アーム３４は、連結部３３の長手方向左端から上方に延び、さらに前側に折り返されて下方に延びる。基板接続部３５は、連結部３３の長手方向左端から前後方向外側（後側）に延びる。
【００２６】
第１半田ペグ部材３０Ａの固定部３２は、各半田ペグ取付部１３の下方からペグ圧入孔１６に圧入固定される。これにより、第１半田ペグ部材３０Ａは、図６に示すように、弾性アーム３４が半田ペグ受容凹部１７内に延びた状態で、各半田ペグ取付部１３に固定される。そして、第１半田ペグ部材３０Ａの弾性アーム３４には、半田ペグ受容凹部１７に受容される第２半田ペグ６０の剛体接触部６２が接触する。また、第１半田ペグ部材３０Ａの基板接続部３５は、図１（Ｂ）に示すように、一方の回路基板ＰＣＢ１上に半田接続される。
第１半田ペグ部材３０Ａと対をなす他方の第１半田ペグ部材３０Ｂは、第１半田ペグ部材３０Ａと対称形状であるため、その形状、構成の説明は省略する。
なお、第１半田ペグ部材３０Ａ,３０Ｂの基板接続部３５，３５を回路基板ＰＣＢ１上に半田接続すると、リセプタクルコネクタ１０は、回路基板ＰＣＢ１上に固定される。
【００２７】
ここで、図１（Ａ）に示すように、第２コンタクト５０が接触する各第１コンタクト２０の接触部２２における接触ポイントＰ１は、回路基板ＰＣＢ１からの高さがＨ１に設定される。一方、図１（Ｂ）に示すように、第２半田ペグ６０の剛体接触部６２が接触する１対の第１半田ペグ部材３０Ａ，３０Ｂにおける弾性アーム３４の接触ポイントＰ２は、回路基板ＰＣＢ１からの高さがＨ２に設定される。高さＨ１は高さＨ２よりも大きく設定されている。
【００２８】
一方、リセプタクルコネクタ１０に嵌合するプラグコネクタ４０は、図１（Ａ），（Ｂ）に示すように、他方の回路基板ＰＣＢ２上に実装される。プラグコネクタ４０は、図８に示すように、長手方向（図８における左右方向）に延びる第２ハウジング４１と、第２ハウジング４１に取り付けられた信号（又は電力）の伝送用の複数対の第２コンタクト５０と、第２ハウジング４１に取り付けられた１対の第２半田ペグ６０とを備えている。
【００２９】
第２ハウジング４１は、図８に示すように、絶縁性の樹脂を成形することによってほぼ矩形形状に形成される。第２ハウジング４１は、長手方向に延びる凹溝４２を有し、この凹溝４２を挟んで前後に１対のコンタクト支持壁４３が設けられている。各コンタクト支持壁４３は、長手方向に沿って延び、第１ハウジング１１の相手コネクタ受容凹部１４内に嵌合可能な形状に形成される。また、第２ハウジング４１の長手方向両端には、図８及び図９に示すように、１対の第２半田ペグ取付部４５が設けられている。各第２半田ペグ取付部４５には、第２半田ペグ取付部４５の上面で開口する第２半田ペグ嵌入溝４４が形成されている。各第２半田ペグ嵌入溝４４は、前後方向に延びている。
【００３０】
また、第２コンタクト５０は、図１（Ａ）及び図８に示すように、前側のコンタクト支持壁４３に取り付けられるものと、後側のコンタクト支持壁４３に取り付けられるものとが対をなし、第２ハウジング４１の長手方向に沿って複数対設けられている。各第２コンタクト５０は、図１（Ａ）に示すように、コンタクト支持壁４３に固定される固定部５１を備えている。また、各第２コンタクト５０は、固定部５１から前後方向内側（前側の第２コンタクト５０の場合は後側、後側の第２コンタクト５０の場合は前側）へ断面コ字形に延びる接触部５２を備えている。更に、各第２コンタクト５０は、図１（Ａ）及び図９に示すように、固定部５１から前後方向外側（前側の第２コンタクト５０の場合は前側、後側の第２コンタクト５０の場合は後側）に延びる接続部５３を備えている。各接触部５２は、図１（Ａ）に示すように、コンタクト支持壁４３の外周面に沿うように配置され、リセプタクルコネクタ１０に設けられた第１コンタクト２０の接触部２２に接触する。また、各接続部５３は、他方の回路基板ＰＣＢ２上に半田接続される。
【００３１】
また、１対の第２半田ペグ６０は、図８乃至図１０に示すように、第２ハウジング４１の長手方向両端に設けられた第２半田ペグ嵌入溝４４内に図１０における上方から嵌合固定される。各第２半田ペグ６０は、図１２及び図１３に示すように、前後方向に延びる基部６１と、基部６１の前後方向両端に設けられた１対の剛体接触部６２と、各剛体接触部６２から図１２における下方に延びる固定部６３とを備えている。そして、各固定部６３の下部には、基板接続部６４が設けられている。各第２半田ペグ６０は、金属板を打抜き加工することによって形成される。各固定部６３は、図１２に示すように、各第２半田ペグ６０が各第２半田ペグ嵌入溝４４内に嵌入された際に、第２ハウジング４１に係止固定される。また、各基板接続部６４は、図１（Ｂ）に示すように、他方の回路基板ＰＣＢ２上に半田接続される。なお、第２半田ペグ６０の各基板接続部６４を回路基板ＰＣＢ２上に半田接続すると、プラグコネクタ４０は、回路基板ＰＣＢ２上に固定される。
【００３２】
各第２半田ペグ６０の剛体接触部６２は、図１１及び図１２に示すように、第２ハウジング４１の第２半田ペグ取付部４５から前後方向に若干突出している。そして、各第２半田ペグ６０は、図１（Ｂ）に示すように、プラグコネクタ４０がリセプタクルコネクタ１０に嵌合した際に、剛体接触部６２，６２が１対の第１半田ペグ部材３０Ａ，３０Ｂの弾性アーム３４，３４間に嵌合接触するようになっている。ここで、２組の第１半田ペグ３０と第２半田ペグ６０とで、互いに嵌合するプラグコネクタ４０及びリセプタクルコネクタ１０の嵌合完了検知スイッチＳを構成する。
【００３３】
次に、プラグコネクタ４０をリセプタクルコネクタ１０に嵌合する方法について説明する。
先ず、リセプタクルコネクタ１０を一方の回路基板ＰＣＢ１上に、プラグコネクタ４０を他方の回路基板ＰＣＢ２上にそれぞれ半田により固定する。
そして、図１（Ａ），（Ｂ）に示すように、プラグコネクタ４０のコンタクト支持壁４３をリセプタクルコネクタ１０の相手コネクタ受容凹部１４内に、プラグコネクタ４０の第２半田ペグ取付部４５をリセプタクルコネクタ１０の半田ペグ受容凹部１７内に挿入する。
すると、先ず、プラグコネクタ４０に設けられた第２コンタクト５０の接触部５２が、リセプタクルコネクタ１０に設けられた第１コンタクト２０の接触部２２に接触ポイントＰ１で接触する。これにより、第１コンタクト２０及び第２コンタクト５０を介して一方の回路基板ＰＣＢ１と他方の回路基板ＰＣＢ２とが電気的に導通する。
【００３４】
そして、プラグコネクタ４０の挿入を推し進めると、その後、プラグコネクタ４０の第２半田ペグ６０の剛体接触部６２が、１対の第１半田ペグ部材３０Ａ，３０Ｂの弾性アーム３４，３４間に接触ポイントＰ２で嵌合接触する。このように、第１コンタクト２０と第２コンタクト５０とが接触した後に、第１半田ペグ３０と第２半田ペグ６０とが接触するのは、接触ポイントＰ１が回路基板ＰＣＢ１からの高さがＨ１に設定され、接触ポイントＰ２が回路基板ＰＣＢ１からの高さがＨ２に設定され、高さＨ１が高さＨ２よりも大きく設定されているからである。
【００３５】
そして、プラグコネクタ４０の挿入を推し進めると、図１（Ａ）,（Ｂ）に示す嵌合完了状態に至る。
ここで、プラグコネクタ４０の第２半田ペグ６０の剛体接触部６２が、１対の第１半田ペグ部材３０Ａ，３０Ｂの弾性アーム３４，３４間に接触ポイントＰ２で嵌合して接触することにより、嵌合検知回路が閉回路をなし、プラグコネクタ４０とリセプタクルコネクタ１０との嵌合完了を検知することができる。
【００３６】
このように、本実施形態によれば、第１半田ペグ３０と第２半田ペグ６０とで、互いに嵌合するプラグコネクタ４０とリセプタクルコネクタ１０との嵌合完了状態を検知する嵌合完了検知スイッチＳを構成する。そして、嵌合完了検知スイッチＳは、１対のコネクタが嵌合する際に、第１コンタクト２０と第２コンタクト５０とが接触した後に、第１半田ペグと３０第２半田ペグ６０とが接触するように構成されている。このため、嵌合完了検知スイッチＳを構成する第１半田ペグ３０と第２半田ペグ６０とが接触して嵌合検知回路が閉回路をなす前に、信号を伝送するための第１コンタクト２０と第２コンタクト５０同士が必ず接触し、その後、嵌合完了時に第１半田ペグ３０と第２半田ペグ６０とが接触して閉回路をなす。これにより、第１半田ペグ３０と第２半田ペグ６０との接触を利用して互いに嵌合するプラグコネクタ４０とリセプタクルコネクタ１０との嵌合完了状態を検知することができる。また、プラグコネクタ４０及びリセプタクルコネクタ１０の嵌合完了後においても、第１半田ペグ３０と第２半田ペグ６０との接触状態は維持されるので、嵌合完了の状態を、嵌合完了時及び嵌合完了後のいずれにおいても確実に検知することができる。
【００３７】
また、各組の第１半田ペグ３０が、第１ハウジング１１の長手方向の一端に、互いに離間した状態で設けられた１対の第１半田ペグ部材３０Ａ,３０Ｂで構成され、第２半田ペグ６０が、プラグコネクタ４０及びリセプタクルコネクタ１０が嵌合する際に、１対の第１半田ペグ部材３０Ａ,３０Ｂ間に嵌合して接触する。このため、嵌合検知信号が、１対の第１半田ペグ部材３０Ａ,３０Ｂの一方、第２半田ペグ６０、１対の第１半田ペグ部材３０Ａ,３０Ｂの他方の順に流れ、嵌合検知回路を、第１半田ペグ３０Ａ,３０Ｂを実装している一方の回路基板ＰＣＢ１のみで形成することができる。従って、嵌合検知回路を形成するために他方の回路基板ＰＣＢ２上に配線等をする必要はない。これに対して、第１半田ペグ３０を１つの部材で形成して第２半田ペグ６０とで嵌合完了検知スイッチを構成すると、嵌合検知回路が一方の回路基板ＰＣＢ１と他方の回路基板ＰＣＢ２との双方にまたがる。これにより、両回路基板１，２上に嵌合検知回路を形成するための配線等が必要になる。
【００３８】
更に、１対の第１半田ペグ部材３０Ａ,３０Ｂが第１ハウジング１１の長手方向両端に設置され、第２半田ペグ６０が第２ハウジング４１の長手方向両端に設置されている。このため、長手方向両端の嵌合完了検知スイッチＳを構成する１対の第１半田ペグ部材３０Ａ,３０Ｂと第２半田ペグ６０とが接触した際に、嵌合完了と判断することができる。従って、長手方向片端のみの嵌合完了検知スイッチＳを構成する１対の第１半田ペグ部材３０Ａ,３０Ｂと第２半田ペグ６０とが接触し且つ反対側の端の１対の第１半田ペグ部材３０Ａ,３０Ｂと第２半田ペグ６０とが接触しない場合には、嵌合不完全とされる。このため、プラグコネクタ４０及びリセプタクルコネクタ１０が嵌合する際に、例えば、一方のコネクタ４０（１０）が相対的に長手方向に傾いていて長手方向片端のみの嵌合完了検知スイッチＳを構成する１対の第１半田ペグ部材３０Ａ,３０Ｂと第２半田ペグ６０とが接触した場合、嵌合不完全とされる。よって、プラグコネクタ４０及びリセプタクルコネクタ１０が長手方向に傾いて嵌合した状態を検知することができる。
【００３９】
また、第１ハウジング１１は、プラグコネクタ４０及びリセプタクルコネクタ１０が嵌合する際に、第２半田ペグ６０を受容する半田ペグ受容凹部１７を有し、第１半田ペグ部材３０Ａ，３０Ｂが半田ペグ受容凹部１７内に延びる弾性アーム３４を有している。このため、第１半田ペグ部材３０Ａ、３０Ｂの弾性アーム３４は、半田ペグ受容凹部１７内に位置して第１ハウジング１１の外側に突出しないので、損傷しがたい。また、第２半田ペグ６０は、第１半田ペグ部材３０Ａ,３０Ｂの弾性アーム３４に接触する剛体接触部６２を有し、剛体接触部６２自身が剛体であるため、損傷しがたい。
【００４０】
次に、本発明に係る嵌合完了検知スイッチ付きコネクタの第２実施形態を図１４を参照して説明する。
図１４に示す嵌合完了検知スイッチ付きコネクタ（以下、単にコネクタという）１は、図１乃至図１３に示す嵌合完了検知スイッチ付きコネクタ（以下、単にコネクタという）１と基本構成はほぼ同様である。図１４に示すコネクタ１において、図１乃至図１３に示すコネクタ１と同様の構成部材には同一の符号を付し、その説明は省略する。
【００４１】
図１４に示すコネクタ１は、図１乃至図１３に示すコネクタ１と異なり、第１ハウジング１１には、第１コンタクト２０の接触部２２と第２コンタクト５０の接触部５２とが接触する前に、第１半田ペグ部材３０Ａ，３０Ｂの弾性アーム３４と第２半田ペグ６０の剛体接触部６２とが接触するのを防止する絶縁壁１９が設けられている。この絶縁壁１９は、第１ハウジング１１の半田ペグ取付部１３に設けられた半田ペグ受容凹部１７の開口近傍であって、取り付けられた第１半田ペグ部材３０Ａ，３０Ｂの内側に１対設けられている。
この絶縁壁１９を設けることにより、嵌合完了の誤検知を防止することができる。
【００４２】
更に、本発明に係る嵌合完了検知スイッチ付きコネクタの第３実施形態を図１５を参照して説明する。
図１５に示す嵌合完了検知スイッチ付きコネクタ（以下、単にコネクタという）１は、図１乃至図１３に示す嵌合完了検知スイッチ付きコネクタ（以下、単にコネクタという）１と基本構成はほぼ同様である。図１５に示すコネクタ１において、図１乃至図１３に示すコネクタ１と同様の構成部材には同一の符号を付し、その説明は省略する。
【００４３】
図１５に示すコネクタ１は、図１乃至図１３に示すコネクタ１と異なり、第１半田ペグ部材３０Ａ,３０Ｂの弾性アーム３４の外面（弾性アーム３４の折り返された部分の外面）には、第１コンタクト２０の接触部２２と第２コンタクト５０の接触部５２とが接触する前に、第１半田ペグ部材３０Ａ，３０Ｂの弾性アーム３４と第２半田ペグ６０の剛体接触部６２とが接触するのを防止する絶縁皮膜３６が設けられている。
この絶縁皮膜３６を設けることにより、嵌合完了の誤検知を防止することができる。
【００４４】
以上、本発明の実施形態について説明してきたが、本発明はこれに限定されずに種々の変更、改良を行うことができる。
例えば、リセプタクルコネクタ１０側に第１半田ペグ３０を構成する１対の第１半田ペグ部材３０Ａ、３０Ｂを設け、プラグコネクタ４０側に１対の第１半田ペグ部材３０Ａ，３０Ｂ間に嵌合して接触する第２半田ペグ６０を設けているが、第１半田ペグ３０をプラグコネクタ４０側に設け、第２半田ペグ６０をリセプタクルコネクタ１０側に設けてもよい。
【００４５】
また、第１半田ペグ３０は、第１ハウジング１１の長手方向両端に２組設けられているが、これに限定されず、１組あるいは３組以上でもよく、第１ハウジング１１の長手方向のいずれの場所に設けても良い。この場合、第２半田ペグ６０は、第２ハウジング４１の、第１半田ペグ３０に接触する場所に設置する。
さらに、各組の第１半田ペグ３０は、互いに前後方向に離間した状態で設けられた１対の第１半田ペグ部材３０Ａ,３０Ｂで構成されているが、必ずしも１対なくてもよく、単体で構成しても、あるいは２対以上で構成してもよい。
【符号の説明】
【００４６】
１  嵌合完了検知スイッチ付きコネクタ
１０  リセプタクルコネクタ（一方のコネクタ）
１１  第１ハウジング
１７  半田ペグ受容凹部
１９  絶縁壁
２０  第１コンタクト
３０  第１半田ペグ
３０Ａ，３０Ｂ  第１半田ペグ部材
３４  弾性アーム
３６  絶縁皮膜
４０  プラグコネクタ（他方のコネクタ）
４１  第２ハウジング
５０  第２コンタクト
６０  第２半田ペグ
Ｓ  嵌合完了検知スイッチ
【図１】
0005647434.tif 000002
【図２】
0005647434.tif 000003
【図３】
0005647434.tif 000004
【図４】
0005647434.tif 000005
【図５】
0005647434.tif 000006
【図６】
0005647434.tif 000007
【図７】
0005647434.tif 000008
【図８】
0005647434.tif 000009
【図９】
0005647434.tif 000010
【図１０】
0005647434.tif 000011
【図１１】
0005647434.tif 000012
【図１２】
0005647434.tif 000013
【図１３】
0005647434.tif 000014
【図１４】
0005647434.tif 000015
【図１５】
0005647434.tif 000016
【図１６】
0005647434.tif 000017
【図１７】
0005647434.tif 000018